(57)【要約】【課題】  分岐箇所において所望の方向へカメラを送り込むことができるカメラヘッド用カバーを提供する。【解決手段】  略円柱形状とされ、前端部３は、前方へ行くに従って、左側へ円弧状に傾斜した湾曲面に形成されている。カバー１には、軸方向に沿って、貫通穴５が形成されている。カバー１は、上下に分割可能な構成とされ、下側部材２１に上側部材２３が重ね合わされて構成され、上側部材２３より下側部材２１のほうが重く構成されている。【選択図】  図４
2014145856.tif 000002
【特許請求の範囲】
【請求項１】
カメラヘッドに取り付けられるカメラヘッド用カバーであって、
その前端部は、前方へ行くに従って幅方向一端部から幅方向他端部の側へ傾斜する傾斜面とされた
ことを特徴とするカメラヘッド用カバー。
【請求項２】
前記傾斜面は、円弧状に形成された湾曲面とされる
ことを特徴とする請求項１に記載のカメラヘッド用カバー。
【請求項３】
下部が上部より重く形成されている
ことを特徴とする請求項１または請求項２に記載のカメラヘッド用カバー。
【発明の詳細な説明】
【技術分野】
【０００１】
本発明は、各種管内へ送り込まれるカメラのヘッドに取り付けられるカバーに関するものであり、典型的には、水道管内へ送り込まれるカメラのヘッドに取り付けられるカバーに関するものである。
【背景技術】
【０００２】
配水管内を調査するために、配水管内にカメラを挿入することがある。カメラを管内へ送り込み、管路に沿って移動させながら撮影することで、錆こぶの有無や、亀裂などの有無を確認することができ、管内の状況を把握することができる。
【発明の概要】
【発明が解決しようとする課題】
【０００３】
しかしながら、管路は、分岐している場合があり、従来、この分岐箇所において、カメラを所望の方向へ進行させることができなかった。
【０００４】
本発明が解決しようとする課題は、分岐箇所において所望の方向へカメラを送り込むことができるカメラヘッド用カバーを提供することにある。
【課題を解決するための手段】
【０００５】
本発明は、前記課題を解決するためになされたもので、請求項１に記載の発明は、カメラヘッドに取り付けられるカメラヘッド用カバーであって、その前端部は、前方へ行くに従って幅方向一端部から幅方向他端部の側へ傾斜する傾斜面とされたことを特徴とするカメラヘッド用カバーである。
【０００６】
請求項２に記載の発明は、前記傾斜面は、円弧状に形成された湾曲面とされることを特徴とする請求項１に記載のカメラヘッド用カバーである。
【０００７】
さらに、請求項３に記載の発明は、下部が上部より重く形成されていることを特徴とする請求項１または請求項２に記載のカメラヘッド用カバーである。
【発明の効果】
【０００８】
本発明によれば、分岐箇所において所望の方向へカメラを送り込むことができる。
【図面の簡単な説明】
【０００９】
【図１】本発明のカメラヘッド用カバーの一実施例を示す正面図である。
【図２】図１のカメラヘッド用カバーの側面図である。
【図３】図１のカメラヘッド用カバーの平面図である。
【図４】図１のカメラヘッド用カバーの斜視図である。
【図５】図２の縦断面図である。
【図６】図１のカメラヘッド用カバーの分解斜視図である。
【図７】図１のカメラヘッド用カバーにカメラヘッドを収容した状態を示す図である。
【図８】図１のカメラヘッド用カバーの下側部材に、カメラヘッドを載置した状態を示す図である。
【図９】図１のカメラヘッド用カバーが装着されたカメラを、挿入具により管内へ送り込む状態を示す概略図である。
【図１０】水道管に縦管部が設けられた状態を示す縦断面図である。
【図１１】図１のカメラヘッド用カバーが取り付けられたカメラが管路に沿って移動している状態を示す概略平面図である。
【図１２】図１１の状態から分岐箇所の管の壁面に、カメラが当接した状態を示す図である。
【図１３】図１２の状態からカメラが曲がろうとしている状態を示す図である。
【図１４】図１３の状態からカメラがさらに管路に沿って移動する状態を示す図である。
【発明を実施するための形態】
【００１０】
以下、本発明のカメラヘッド用カバーの一実施例について図面に基づいて具体的に説明する。
【００１１】
図１〜図４は、本発明のカメラヘッド用カバーの一実施例を示す図であり、図１は正面図、図２は側面図、図３は平面図、図４は斜視図である。また、図５は、図２の縦断面図である。図６は、図１のカメラヘッド用カバーの分解斜視図である。
【００１２】
本実施例のカメラヘッド用カバー１は、管路が左右に分岐する箇所において、正面に向かって右側へカメラを送り込む場合に使用される。
【００１３】
本実施例のカメラヘッド用カバー１は、略円柱形状とされ、その前端部３は傾斜面に形成されている。具体的には、カバー１の前端部３は、前方へ行くに従って幅方向一端部から幅方向他端部の側へ傾斜する傾斜面に形成されている。つまり、図３において、カバー１の前端部３の右端部は、前方（図３において下方）へ行くに従って、左側へ傾斜する傾斜面に形成されている。また、本実施例では、図３に示すように、前端部３は、円弧状に傾斜した湾曲面とされている。
【００１４】
カバー１には、軸方向に沿って、前端部と後端部とを連通する貫通穴５が形成されている。
【００１５】
貫通穴５は、その前部７が前方へ行くに従って拡径する円錐台状の穴とされる。また、貫通穴５の後部９は、円形状の穴とされる一方、その後端部１０は、後方へ行くに従って縮径して形成されている。
本実施例では、貫通穴５の前部７の後端部の内径は、後部９の内径より小径とされ、前部７と後部９との境界には段部１１が形成されている。
【００１６】
本実施例では、カバー１は、上下に分割可能な構成とされ、下側部材２１に上側部材２３が重ね合わされて構成される。
本実施例では、カバー１は、その軸線を通る面で上下に分離可能とされる。
【００１７】
カバー１の下側部材２１は、断面略半円形状とされる。
下側部材２１の上面には、カバー１の貫通穴５（７，９）の下部を構成する溝７ａ，９ａが形成されている。
【００１８】
カバー１の上側部材２３は、断面略半円形状とされる。
上側部材２３の下面には、カバー１の貫通穴５の上部を構成する溝７ｂ，９ｂが形成されている。
【００１９】
上側部材２３を、下側部材２１に重ね合わせた状態で、上側部材２３の幅方向両端部から下側部材２１にネジ２５がねじ込まれることで両部材２１，２３が固定されて、カバー１が構成される。
【００２０】
本実施例では、下側部材２１はステンレスなどの金属で形成され、上側部材２３はポリプロピレンなどの合成樹脂で形成されており、上側部材２３より下側部材２１のほうが重く構成されている。
これにより、カバー１は、周方向に回転したとしても、上下が元の位置に戻る。
【００２１】
図７は、本実施例のカメラヘッド用カバーにカメラヘッドを収容した状態を示す図である。図８は、カメラヘッド用カバーの下側部材に、カメラヘッドを載置した状態を示す図である。
【００２２】
本実施例のカメラヘッド用カバー１が適用されるカメラＣは、カメラヘッドＣＨと、このカメラヘッドＣＨに接続されるカメラケーブルＣＣとを有する。
【００２３】
カメラヘッドＣＨは、略円柱形状とされ、その直径は、たとえば、３ｃｍとされる。カメラヘッドＣＨは、その中央部にレンズが配置され、その周囲に複数の照明用のＬＥＤが設けられて構成されている。また、カメラケーブルＣＣは、可撓性を有すると共に、比較的剛性を有したものとされ、外周面が滑らかとされている。
【００２４】
カメラヘッド用カバー１をカメラヘッドＣＨに取り付ける場合、カバー１の貫通穴５にカメラヘッドＣＨを収容するようにして、上側部材２３を下側部材２１に固定すればよい。
本実施例では、カメラヘッドＣＨは、カバー１の貫通穴５の後部９に配置され、カバー１が取り付けられたカメラヘッドＣＨは、貫通穴５の段部１１と、後部９の後端部１０とにより、カバー１に対する前後方向の移動が規制される。
【００２５】
カメラケーブルＣＣには、カメラヘッドＣＨからの映像を映し出すモニターや、映像を記録する録画機器等が接続される。カメラヘッドＣＨは、カバー１の前方開口部から外部を見た映像を撮影し、モニターに映像が映し出される。
【００２６】
図９は、カバーが装着されたカメラを、挿入具により管内へ送り込む状態を示す概略図である。また、図１０は、水道管に縦管部が設けられた状態を示す縦断面図である。
【００２７】
本実施例のカバー１が装着されたカメラＣは、たとえば、挿入具３０により上水道配水管内に水密状態で送り込まれて、管路に沿って進行する。図示例では、挿入具３０は、補修弁３９に取り付けられている。
【００２８】
具体的には、多数の管が接続されて構成される水道管３１には、図１０に示すように、適宜、上方へ分岐して縦管部Ｔが設けられている。つまり、水道管３１には、図１０に示すように、上方へ延出する縦管３５を有する略Ｔ字形の管３７が、適宜接続されている。この管３７の縦管３５に補修弁３９などを介して消火栓Ｈが接続されて縦管部Ｔが構成されている。なお、図示例では、縦管部Ｔを構成する消火栓Ｈや補修弁３９などは、地下に形成されたボックスＢ内に収容されている。
本実施例では、補修弁３９から消火栓Ｈを取り外した状態で、図９に示すように、補修弁３９に挿入具３０が取り付けられている。なお、図示例では、補修弁３９はボール式補修弁とされている。
【００２９】
補修弁３９に取り付けられた挿入具３０には、パッキン４３が設けられており、カメラケーブルＣＣは、パッキン４３を介して外部へ導出されており、水密性を維持した状態で、水道管３１に対して進退可能とされる。
カメラケーブルＣＣは、挿入具３０の外部においてドラムに巻かれており、その端部には、カメラヘッドＣＨからの映像を映し出すモニターや録画機器が設けられている。
【００３０】
挿入具３０により縦管部Ｔから配水管内へ送り込まれたカメラＣは、カメラケーブルＣＣが管内へ送り込まれることで管路に沿って進行する。
【００３１】
図１１は、カメラヘッド用カバーが取り付けられたカメラが管路に沿って移動している状態を示す概略平面図である。図１２は、分岐箇所の管の壁面に、カメラが当接した状態を示す図であり、図１３は、図１２の状態からカメラが曲がろうとしている状態を示す図である。また、図１４は、図１３の状態からカメラがさらに管路に沿って移動する状態を示す図である。
【００３２】
図１１に示すように、管路に沿って進行し、左右方向に分岐する箇所Ｄに到達すると、カバー１が装着されたカメラＣは、図１２に示すように、一旦、正面（前方）の管の内壁面４１に当接する。
カバー１が管の内壁面４１に当接した状態で、さらにカメラケーブルＣＣが送り込まれると、カバー１の前端部３が傾斜面に形成されていることで、図１３に示すように、カバー１が装着されたカメラＣは、正面に向かって右側（図１３において左側）へ向く。
そして、カメラケーブルＣＣの押し込み操作により、図１４に示すように、カメラＣは管路（図１４において左側）に沿って、さらに進行する。
【００３３】
本実施例では、カバー１は、下側部材２１が上側部材２３より重く形成されている。これにより、カバー１が管内で周方向に回転してしまったとしても、上下方向が元に戻ることで、正確に管内調査を行うことができる。
【００３４】
上記実施例では、管路が分岐する箇所において、進行方向に向かって右側（図１１において左側）へカメラを送り込む場合について説明したが、進行方向に向かって左側（図１１において右側）へカメラを送り込む場合には、カバー１の前端部３の左端部を、図３において、前方へ行くに従って右側へ傾斜する傾斜面に形成すればよい。
このように、カバーの前端部を、前方へ行くに従って、幅方向一端部から幅方向他端部の側へ傾斜するよう形成することで、所望の方向へカメラを送り込むことができる。
【００３５】
本発明のカメラヘッド用カバーは、上記実施例の構成に限らず、適宜変更可能である。
たとえば、上記実施例では、上側部材２３と下側部材２１の材質を変えて、カバー１の上部と下部の重さを変えたが、同じ材質として、厚みなどにより上下で重さを異なるものとするようにしてもよい。
【００３６】
また、上記実施例では、カバー１に形成される貫通穴５を、カバー１の軸線と同軸上に形成したが、貫通穴５をカバー１の軸線に対して傾斜して形成してもよい。
たとえば、カメラがやや上方へ向くように貫通穴を形成してもよい。
【００３７】
さらに、上記実施例では、水道管のうち、上水道配水管で使用する場合について説明したが、導水管や送水管などの水道管でも同様に使用可能である。さらに、ガスなどが流れる管でも使用可能である。
【符号の説明】
【００３８】
１    カメラヘッド用カバー
５    貫通穴
２１    下側部材
２３    上側部材
Ｃ    カメラ
ＣＨ  カメラヘッド
【図１】
2014145856.tif 000003
【図２】
2014145856.tif 000004
【図３】
2014145856.tif 000005
【図４】
2014145856.tif 000006
【図５】
2014145856.tif 000007
【図６】
2014145856.tif 000008
【図７】
2014145856.tif 000009
【図８】
2014145856.tif 000010
【図９】
2014145856.tif 000011
【図１０】
2014145856.tif 000012
【図１１】
2014145856.tif 000013
【図１２】
2014145856.tif 000014
【図１３】
2014145856.tif 000015
【図１４】
2014145856.tif 000016